(57)【要約】【課題】      ユーザが所有する携帯電話の動画、静止画、着信メロディ、アドレス情報、電子メール情報、スケジュール情報などの多種多様のデータの全てを確実に管理することができる携帯電話データ管理装置を提供する。【解決手段】  本発明の携帯電話データ管理装置は、ＰＣ１０で構成され、情報を入力するキーボードやマウスなどの入力部１７と、入力部１７からの情報に基づいて、携帯電話データを管理する携帯電話データ管理部１６と、携帯電話データ管理部で管理される携帯電話データを記憶する携帯電話データＤＢ１４と、電子メールを作成し、送受信する電子メール処理部１２と、携帯電話に接続するための外部入出力部１３と、ネットワーク４０に接続する通信制御部１１を備えている。【選択図】  図１
2006185007.tif 000002
【特許請求の範囲】
【請求項１】
携帯電話のデータを管理する携帯電話データ管理装置であって、
情報を入力する入力手段と、
前記入力手段からの情報に基づいて、携帯電話データを管理する携帯電話データ管理手段と、
前記携帯電話データ管理手段で管理される前記携帯電話データを記憶する携帯電話データ記憶手段と、
を備え、
前記携帯電話データ管理手段は、
前記入力手段からの情報に基づいて、前記携帯電話データの電子メール情報を管理する電子メール情報管理手段と、
前記入力手段からの情報に基づいて、前記携帯電話データのアドレス帳情報を管理するアドレス帳管理手段と、
前記入力手段からの情報に基づいて、前記携帯電話データの画像を処理する画像処理手段と、
前記入力手段からの情報に基づいて、前記携帯電話データのスケジュール情報を管理するスケジュール管理手段と、
前記電子メール情報管理手段、前記アドレス帳管理手段、前記画像処理手段及びスケジュール管理手段を制御する制御手段と、
を備える、
ことを特徴とする携帯電話データ管理装置。
【請求項２】
さらに、電子メールを作成し、送受信する電子メール処理手段を備える、ことを特徴とする請求項１記載の携帯電話データ管理装置。
【請求項３】
さらに、携帯電話に接続するための外部入出力手段を備える、ことを特徴とする請求項１又は２記載の携帯電話データ管理装置。
【請求項４】
前記外部入出力手段は、ＵＳＢポートである、ことを特徴とする請求項３記載の携帯電話データ管理装置。
【請求項５】
前記電子メール情報管理手段は、前記入力手段からの情報に基づいて、前記携帯電話データの電子メール情報を削除し、変更し、前記携帯電話データ記憶手段に保存管理する、ことを特徴とする請求項１から４何れか記載の携帯電話データ管理装置。
【請求項６】
前記アドレス帳管理手段は、前記入力手段からの情報に基づいて、前記携帯電話データのアドレス帳情報を削除し、変更し、前記携帯電話データ記憶手段に保存管理する管理する、ことを特徴とする請求項５何れか記載の携帯電話データ管理装置。
【請求項７】
前記画像処理手段は、前記入力手段からの情報に基づいて、前記携帯電話データの画像を削除し、変更し、編集し、前記携帯電話データ記憶手段に保存管理する、ことを特徴とする請求項１から６何れか記載の携帯電話データ管理装置。
【請求項８】
前記スケジュール管理手段は、前記入力手段からの情報に基づいて、前記携帯電話データのスケジュール情報を削除し、変更し、前記携帯電話データ記憶手段に保存する、ことを特徴とする請求項１から７何れか記載の携帯電話データ管理装置。
【請求項９】
前記携帯電話データ記憶手段は、ＨＤ（Ｈａｒｄ  Ｄｉｓｋ）である、ことを特徴とする請求項１から８何れか記載の携帯電話データ管理装置。
【請求項１０】
さらに、ネットワークに接続する通信制御手段を備え、
前記通信制御手段は、前記電子メール処理手段で作成された電子メールを前記ネットワークに接続されたユーザ宛に一括で送信する、
ことを特徴とする請求項１から９何れか記載の携帯電話データ管理装置。
【請求項１１】
前記携帯電話データ管理手段は、接続されている携帯電話のみに、生成した携帯電話データを送信する、ことを特徴とする請求項１から１０何れか記載の携帯電話データ管理装置。
【請求項１２】
前記携帯電話データ管理手段は、生成した携帯電話データを送信する携帯電話を制限する、ことを特徴とする請求項１から１１何れか記載の携帯電話データ管理装置。
【請求項１３】
前記携帯電話データ管理手段は、携帯電話の制限を、該携帯電話固有のＩＤによって制御する、ことを特徴とする請求項１２記載の携帯電話データ管理装置。
【請求項１４】
前記入力手段は、キーボード及び／又はマウスである、ことを特徴とする請求項１から１３何れか記載の携帯電話データ管理装置。
【請求項１５】
携帯電話の携帯電話データを作成するためのプログラムであって、前記請求項１から１４何れか記載の携帯電話データ管理装置の機能を、コンピュータに実現させる、ことを特徴とするプログラム。
【発明の詳細な説明】
【技術分野】
【０００１】
本発明は、携帯電話の携帯電話データを管理するための携帯電話データ管理装置及びプログラムに関する。特には、あらゆる携帯電話データを管理することができる携帯電話データ管理装置及びプログラムに関する。
【背景技術】
【０００２】
今日において、携帯電話の普及が増大し、多くの人々が持ち歩くようになっている。また、携帯電話は、電話機能だけでなく、動画、静止画の処理、着信メロディの生成や再生、アドレス情報の保存、電子メール機能、スケジュール管理機能など多種多様の機能を有し、それぞれに重要なデータを保存している。
【０００３】
例えば、特許公開２００４−１２０３４６公報には、携帯端末機に記憶された登録データのバックアップとリストアを、低コスト且つ確実に行うことができるシステムが記載されている。
【特許文献１】特許公開２００４−１２０３４６公報
【発明の開示】
【発明が解決しようとする課題】
【０００４】
しかしながら、特許公開２００４−１２０３４６公報などの従来のシステムや方法によれば、携帯電話の動画、静止画、着信メロディ、アドレス情報、電子メール情報、スケジュール情報などの多種多様のデータの全てを管理することはできない。
【０００５】
従って、本発明の目的は、ユーザが所有する携帯電話の動画、静止画、着信メロディ、アドレス情報、電子メール情報、スケジュール情報などの多種多様のデータの全てを確実に管理することができる携帯電話データ管理装置及びプログラムを提供することである。
【課題を解決するための手段】
【０００６】
上記課題を解決するため、本発明の携帯電話データ管理装置は、携帯電話のデータを管理する携帯電話データ管理装置であって、情報を入力する入力手段と、入力手段からの情報に基づいて、携帯電話データを管理する携帯電話データ管理手段と、携帯電話データ管理手段で管理される前記携帯電話データを記憶する携帯電話データ記憶手段と、を備え、携帯電話データ管理手段は、入力手段からの情報に基づいて、携帯電話データの電子メール情報を管理する電子メール情報管理手段と、入力手段からの情報に基づいて、携帯電話データのアドレス帳情報を管理するアドレス帳管理手段と、入力手段からの情報に基づいて、携帯電話データの画像を処理する画像処理手段と、入力手段からの情報に基づいて、携帯電話データのスケジュール情報を管理するスケジュール管理手段と、電子メール情報管理手段、アドレス帳管理手段、画像処理手段及びスケジュール管理手段を制御する制御手段と、を備える、ことを特徴とする。
【０００７】
さらに、電子メールを作成し、送受信する電子メール処理手段を備える、ことができる。
【０００８】
さらに、携帯電話に接続するための外部入出力手段を備える、ことができる。
【０００９】
また、外部入出力手段は、ＵＳＢポートである、ようにするとよい。
【００１０】
また、電子メール情報管理手段は、入力手段からの情報に基づいて、携帯電話データの電子メール情報を削除し、変更し、携帯電話データ記憶手段に保存管理する、ことができる。
【００１１】
また、アドレス帳管理手段は、入力手段からの情報に基づいて、携帯電話データのアドレス帳情報を削除し、変更し、携帯電話データ記憶手段に保存管理する管理する、ことができる。
【００１２】
また、画像処理手段は、入力手段からの情報に基づいて、携帯電話データの画像を削除し、変更し、編集し、携帯電話データ記憶手段に保存管理する、ことができる。
【００１３】
また、スケジュール管理手段は、入力手段からの情報に基づいて、携帯電話データのスケジュール情報を削除し、変更し、携帯電話データ記憶手段に保存する、ことができる。
【００１４】
また、携帯電話データ記憶手段は、ＨＤ（Ｈａｒｄ  Ｄｉｓｋ）である、とよい。
【００１５】
さらに、ネットワークに接続する通信制御手段を備え、通信制御手段は、電子メール処理手段で作成された電子メールをネットワークに接続されたユーザ宛に一括で送信する、ことができる。
【００１６】
また、携帯電話データ管理手段は、接続されている携帯電話のみに、生成した携帯電話データを送信する、ことができる。
【００１７】
また、携帯電話データ管理手段は、生成した携帯電話データを送信する携帯電話を制限する、ことができ、携帯電話の制限を、該携帯電話固有のＩＤによって制御する、ことができる。
【００１８】
また、入力手段は、キーボード及び／又はマウスである、ようにするとよい。
【００１９】
また、上記課題を解決するため、本発明のプログラムは、携帯電話の携帯電話データを管理するためのプログラムであって、上記何れか記載の携帯電話データ管理装置の機能を、コンピュータに実現させる、ことを特徴とする。
【発明の効果】
【００２０】
本発明の携帯電話データ管理装置及びプログラムによれば、ユーザが所有する携帯電話の動画、静止画、着信メロディ、アドレス情報、電子メール情報、スケジュール情報などの多種多様のデータの全てを確実に管理することができる。
【発明を実施するための最良の形態】
【００２１】
以下、図面を参照して本発明の携帯電話データ管理装置及びプログラムの実施の形態を説明する。
【００２２】
図１は、本発明の携帯電話データ管理装置の一例を示す図である。図１において、この携帯電話データ管理装置は、ＰＣ（Ｐｅｒｓｏｎａｌ  Ｃｏｍｐｕｔｅｒ）１０で構成され、情報を入力するキーボードやマウスなどの入力部１７と、入力部１７からの情報に基づいて、携帯電話データを管理する携帯電話データ管理部１６と、携帯電話データ管理部で管理される携帯電話データを記憶する携帯電話データＤＢ１４と、電子メールを作成し、送受信する電子メール処理部１２と、携帯電話に接続するための外部入出力部１３と、ネットワーク４０に接続する通信制御部１１を備えている。
【００２３】
ここで、ＰＣ１０は、プロバイダ５０Ａを介して及び携帯電話２０は、プロバイダ５０Ｂを介して、ネットワーク４０に通信可能に接続されている。
【００２４】
また、携帯電話データ管理部１６は、入力部１７からの情報に基づいて、携帯電話データの電子メール情報を管理する電子メール情報管理部２３と、入力部１７からの情報に基づいて、携帯電話データのアドレス帳情報を管理するアドレス帳管理部２１と、入力部１７からの情報に基づいて、携帯電話データの画像を処理する画像処理部２２と、入力部１７からの情報に基づいて、携帯電話データのスケジュール情報を管理するスケジュール管理部２４と、電子メール情報管理部２３、アドレス帳管理部２１、画像処理部２２及びスケジュール管理部２４を制御する制御部２５と、を備えている。
【００２５】
ここで、通信制御部１１は、電子メール処理部１２で作成された電子メールをネットワーク４０に接続されたユーザ宛に一括で送信することができる。
【００２６】
また、外部入出力部１３は、ＵＳＢポートにすることができる。このとき、ＰＣ１０と携帯電話２０はＵＳＢケーブルでデータ通信可能に接続される。
【００２７】
また、電子メール情報管理部２３は、入力部１７からの情報に基づいて、携帯電話データの電子メール情報を削除し、変更し、携帯電話データＤＢ１４に保存管理する。
【００２８】
また、アドレス帳管理部２１は、入力部１７からの情報に基づいて、携帯電話データのアドレス帳情報を削除し、変更し、携帯電話データＤＢ１４に保存管理する管理する。
【００２９】
また、画像処理部２２は、入力部１７からの情報に基づいて、携帯電話データの画像を削除し、変更し、編集し、携帯電話データＤＢ１４に保存管理する。
【００３０】
また、スケジュール管理部２４は、入力部１７からの情報に基づいて、携帯電話データのスケジュール情報を削除し、変更し、携帯電話データＤＢ１４に保存する。
【００３１】
ここで、携帯電話データＤＢ１４は、ＨＤ（Ｈａｒｄ  Ｄｉｓｋ）で構成することができる。
【００３２】
また、携帯電話データ管理部１６は、接続されている携帯電話２０のみに、生成した携帯電話データを送信する。
【００３３】
また、携帯電話データ管理部１６は、生成した携帯電話データを送信する携帯電話２０を制限する、ことができ、携帯電話２０の制限を、該携帯電話２０固有のＩＤによって制御する。
【００３４】
以上、本発明の携帯電話データ管理装置について説明したが、上述した携帯電話データ管理装置をコンピュータなどで実現可能なプログラムとすることもできる。
【図面の簡単な説明】
【００３５】
【図１】本発明の携帯電話データ管理装置の一例を示す図である。
【符号の説明】
【００３６】
１０  ＰＣ
１１  通信制御部
１２  電子メール処理部
１３  外部入出力部
１４  携帯電話データＤＢ
１６  携帯電話データ管理部
１７  入力部
１８  出力部
２０  携帯電話
２１  アドレス帳管理部
２２  画像処理部
２３  電子メール情報管理部
２４  スケジュール管理部
２５  制御部
４０  ネットワーク
５０Ａ，５０Ｂ  プロバイダ
【図１】
2006185007.tif 000003